(57)【特許請求の範囲】
【請求項１】
表示部と、前記表示部の表示省電力状態への移行及びその解除を制御する制御部とを有し、
前記制御部は、前記表示省電力状態の解除トリガ発生後に、一定時間内は携帯端末装置の操作により起動する機能の設定を所定の設定に切り換え、当該所定の設定に応じて前記機能の起動を制御し、
前記機能の起動に対するキーアサインに従いキー操作が可能な操作部を更に有し、
前記所定の設定は、前記機能の起動に対するキーアサインの設定であり、
前記制御部は、前記表示省電力状態の解除トリガ発生後に、一定時間内は前記機能の起動に対するキーアサインを前記所定の設定に切り換えることを特徴とする携帯端末装置。
【請求項２】
表示部と、前記表示部の表示省電力状態への移行及びその解除を制御する制御部とを有し、
前記制御部は、前記表示省電力状態の解除トリガ発生後に、一定時間内は携帯端末装置の操作により起動する機能の設定を所定の設定に切り換え、当該所定の設定に応じて前記機能の起動を制御し、
携帯端末装置の少なくとも所定方向への移動及びその傾きを検出するセンサを更に有し、
前記所定の設定は、前記機能の起動に対する前記センサの出力の設定であり、
前記制御部は、前記表示省電力状態の解除トリガ発生後に、一定時間内は前記所定の設定に従い前記センサの出力に応じて前記機能を起動することを特徴とする携帯端末装置。
【請求項３】
前記一定時間は、使用者により設定可能であることを特徴とする請求項１又は２に記載の携帯端末装置。
【請求項４】
前記機能の起動に対するキーアサインは、使用者により設定可能であることを特徴とする請求項１に記載の携帯端末装置。
【請求項５】
前記センサの出力に応じて起動する機能は、使用者により設定可能であることを特徴とする請求項２に記載の携帯端末装置。
【請求項６】
表示部と、前記表示部の表示省電力状態への移行及びその解除を制御する制御部とを有する携帯端末装置の表示省電力状態からの復帰制御方法であって、
前記制御部が、前記表示省電力状態の解除トリガ発生後に、一定時間内は前記携帯端末装置の操作により起動が可能な機能の設定を所定の設定に切り換え、当該所定の設定に応じて前記機能の起動を制御し、
前記携帯端末装置が、前記機能の起動に対するキーアサインに従いキー操作が可能な操作部を更に有し、
前記所定の設定は、前記機能の起動に対するキーアサインの設定であり、
前記制御部が、前記表示省電力状態の解除トリガ発生後に、一定時間内は前記機能の起動に対するキーアサインを前記所定の設定に切り換えることを特徴とする携帯端末装置の表示省電力状態からの復帰制御方法。
【請求項７】
表示部と、前記表示部の表示省電力状態への移行及びその解除を制御する制御部とを有する携帯端末装置の表示省電力状態からの復帰制御方法であって、
前記制御部が、前記表示省電力状態の解除トリガ発生後に、一定時間内は前記携帯端末装置の操作により起動が可能な機能の設定を所定の設定に切り換え、当該所定の設定に応じて前記機能の起動を制御し、
前記携帯端末装置が、当該携帯端末装置の少なくとも所定方向への移動及びその傾きを検出するセンサを更に有し、
前記所定の設定は、前記機能の起動に対する前記センサの出力の設定であり、
前記制御部が、前記表示省電力状態の解除トリガ発生後に、一定時間内は前記所定の設定に従い前記センサの出力に応じて前記機能を起動することを特徴とする携帯端末装置の表示省電力状態からの復帰制御方法。
【発明の詳細な説明】
【技術分野】
【０００１】
本発明は、携帯端末装置及びその表示省電力状態からの復帰制御方法に関する。
【背景技術】
【０００２】
一般的に、携帯端末装置の消費電力を節約するため、不要時にはＬＣＤ（液晶ディスプレイ）表示やバックライトの点灯をＯＦＦするような制御が行われている。例えば、特許文献１、２には、携帯端末装置の表示省電力状態（表示ＯＦＦ）への移行や解除を速やかに行う関連技術が記載されている。
【０００３】
例えば、特許文献１には、節電モード移行指示に応答して、現在不使用の部分への電源供給が断とされる節電モードに移行する携帯電話機において、携帯電話機の動きを検出する検出手段を備え、節電モード時に検出手段により検出された携帯電話機の動きに応じて節電モードを解除するものが記載されている。これによれば、使用者が望むときに速やかに節電モードから通常モードへ移行可能とされている。
【０００４】
また、特許文献２には、所定の状態において必要な構成要素のみに電力を供給する省電力モードと、通常の電力供給を行う通常電力モードとを有する携帯端末装置において、アプリケーション起動中に装置本体の物理的挙動を検出するセンサを備え、このセンサの検出出力に応じて省電力モードへの移行又は省電力モードからの復帰を制御するものが記載されている。これによれば、アプリケーション起動中でも省電力効果を発揮し、省電力モードからの復帰において誤操作を回避することが可能とされている。
【先行技術文献】
【特許文献】
【０００５】
【特許文献１】特開２００３−２４４０６６号公報
【特許文献２】特開２００７−０８０２１９号公報
【発明の概要】
【発明が解決しようとする課題】
【０００６】
しかし、上述した関連技術は、携帯端末装置の表示省電力状態を速やかに解除することは可能ではあるが、その直後に使用者が使用したい目的の機能（例えば、受信メール一覧表示、発着信履歴表示、カメラ機能、テレビ機能、電卓機能等）の起動等を迅速に行うことを考慮したものではない。
【０００７】
本発明は、上記課題を解消し、携帯端末装置の表示省電力状態を速やかに解除するだけではなく、その直後に使用者が使用したい目的の機能の起動等を迅速に行うことを可能とする携帯端末装置及びその表示省電力状態からの復帰制御方法を提供することを目的とする。
【課題を解決するための手段】
【０００８】
上記目的を達成するため、本発明に係る携帯端末装置は、表示部と、前記表示部の表示省電力状態への移行及びその解除を制御する制御部とを有し、前記制御部は、前記表示省電力状態の解除トリガ発生後に、一定時間内は携帯端末装置の操作により起動する機能の設定を所定の設定に切り換え、当該所定の設定に応じて前記機能の起動を制御し、前記機能の起動に対するキーアサインに従いキー操作が可能な操作部を更に有し、前記所定の設定は、前記機能の起動に対するキーアサインの設定であり、前記制御部は、前記表示省電力状態の解除トリガ発生後に、一定時間内は前記機能の起動に対するキーアサインを前記所定の設定に切り換えることを特徴とする。
【０００９】
本発明に係る携帯端末装置の表示省電力状態からの復帰制御方法は、表示部と、前記表示部の表示省電力状態への移行及びその解除を制御する制御部とを有する携帯端末装置の表示省電力状態からの復帰制御方法であって、前記制御部が、前記表示省電力状態の解除トリガ発生後に、一定時間内は前記携帯端末装置の操作により起動が可能な機能の設定を所定の設定に切り換え、当該所定の設定に応じて前記機能の起動を制御し、前記携帯端末装置が、前記機能の起動に対するキーアサインに従いキー操作が可能な操作部を更に有し、前記所定の設定は、前記機能の起動に対するキーアサインの設定であり、前記制御部が、前記表示省電力状態の解除トリガ発生後に、一定時間内は前記機能の起動に対するキーアサインを前記所定の設定に切り換えることを特徴とする。
【発明の効果】
【００１０】
本発明によれば、携帯端末装置の表示省電力状態を速やかに解除するだけではなく、その直後に使用者が使用したい目的の機能の起動等を迅速に行うことを可能とする携帯端末装置及びその表示省電力状態からの復帰制御方法を提供することができる。
【図面の簡単な説明】
【００１１】
【図１】本発明の第１の実施の形態に係る携帯端末装置の内部構成を示す概略ブロック図である。
【図２】（ａ）及び（ｂ）は、図１に示す携帯端末装置の動作を示す概略フローチャートである。
【図３】（ａ）及び（ｂ）は、図１に示す携帯端末装置の表示省電力状態解除後の動作設定例を説明する図である。
【図４】本発明の第２の実施の形態に係る携帯端末装置を説明する図である。
【図５】（ａ）〜（ｃ）は、図４に示す携帯端末装置の表示省電力状態解除後の動作設定例を説明する図である。
【発明を実施するための形態】
【００１２】
次に、本発明に係る携帯端末装置及びその表示省電力状態からの復帰制御方法の実施の形態について、図面を参照して詳細に説明する。
【００１３】
（第１の実施の形態）
図１は、本発明の第１の実施の形態に係る携帯端末装置（携帯電話）の構成の一部を示している。図１に示す携帯端末装置２００は、例えばヒンジ部（非図示）を介して開閉可能な筐体（装置本体）を有する折畳み型装置で構成され、制御部２０１、メモリ２０２、タイマ２０３、センサ部２０４、電源供給部２０５、バッテリ（電池）２０６、表示部２０７、及び操作部２０８を有する。その他、非図示の無線部（アンテナ、送受信回路等）、撮像部（カメラ機能）、携帯電話・移動体端末向け地上デジタルテレビジョン放送（ワンセグ（１セグメント）放送）用受信部（テレビ機能）等も含まれる。
【００１４】
制御部２０１は、携帯端末装置２００内の各部の制御を執り行う部分で、プログラムを実行するＣＰＵ（Central Processing Unit）や各種のペリフェラル（周辺）回路で構成されている。
【００１５】
メモリ２０２は、制御部２０１のＣＰＵの動作プログラムと固定データの格納用、制御部２０１内のＣＰＵ動作時のワーク用として使用するものである。
【００１６】
操作部２０８は、ユーザ操作や各種機能の設定入力を行ったりするために用いられ、キーマトリクスやタッチパネルで構成される。
【００１７】
タイマ２０３は、制御部２０１のＣＰＵが所定の時間を計測するために用いられ、制御部２０１の一部として内蔵されるのが一般的である。
【００１８】
表示部２０７には、操作部２０８と連動した各種入力内容の表示などが行われ、通常は暗所での視認性を確保するため、バックライト機能を併せ持ち、消費電力節約のため、一般的には不要時には制御部２０１のＣＰＵ制御により表示およびバックライト点灯はＯＦＦされる。本実施の形態では、このような消費電力節約のための表示部２０７の表示ＯＦＦ（バックライト点灯ＯＦＦも含む。）状態を「表示省電力状態」と呼び、通常動作時の表示部２０７の表示ＯＮ状態、すなわち「通常表示状態」と区別する。
【００１９】
電源供給部２０５は、バッテリ（電池）２０６からの供給電圧を制御部２０１に適した所定の電圧に変換して供給する部位である。
【００２０】
センサ部２０４は、携帯端末装置２００の開閉状態を検出するために用いられる磁気センサや携帯端末装置２００が上下左右に動かされたこと及び空間に置かれた傾き等を検出するために用いられる加速度センサなどで構成されている。
【００２１】
次に、本実施の形態の動作に関して、図２を用いて説明する。図２に示すフローチャートに対応する動作プログラムは、例えばメモリ２０２内に予め格納され、制御部２０１のＣＰＵにより実行される。
【００２２】
まず、制御部２０１は、折畳み型装置で表示部２０７の表示面を内側にして筐体を閉じた場合や一定時間無操作状態が続いた場合などの表示部２０７の表示状態を通常表示状態（表示ＯＮ）から表示省電力状態（表示ＯＦＦ）へ移行する表示省電力トリガが発生したか否か判断する。
【００２３】
その結果、表示省電力トリガが発生した場合（ステップＳＴ１１のＹＥＳ）、制御部２０１は、メモリ２０２上に携帯端末装置２００のユーザ操作により起動が可能な機能とそのユーザ操作との設定から切り換え可能な所定の設定、すなわち後述する「表示省電力状態解除後の動作設定」を行って（ステップＳＴ１２）、表示部２０７の表示状態が表示ＯＮから表示ＯＦＦになるように電源供給部２０５から表示部２０７への電源供給を制御することにより、表示部２０７の表示状態を通常表示状態から表示省電力状態へ移行させる。
【００２４】
ここで、「表示省電力状態解除後の動作設定」とは、本実施の形態では、例えば、所定の時間内に「＃」キーが押下されたらカメラ起動を行うといった一定時間内の特殊なキーアサインのことを言う。その一例を図３（ａ）及び（ｂ）に示す。この例では、携帯端末装置２００の操作により起動が可能な機能には、受信メールの一覧表示、カメラ機能、及び電卓機能が含まれている。これらの機能は全て既知のものが適用されるため、その詳細は省略する。
【００２５】
図３（ａ）は、所定時間の設定、図３（ｂ）は特殊なキーアサイン（操作部２０８の各キー操作に対応して割り当てられる機能起動などの各動作）の設定をそれぞれ示している。図３（ａ）の例では、所定時間は２秒に設定されている。図３（ｂ）の例では、操作部２０８の「＃」キーにはカメラ機能の起動、操作部２０８の「＊」キーには受信メールの一覧表示、操作部２０８の「９」キーには電卓機能の起動の各動作が割り当てられている。
【００２６】
次に、上記の表示省電力状態から、例えば折畳み型携帯端末装置２００で筐体を閉じている状態から開いた場合などの表示省電力状態の解除トリガが発生した場合（ステップＳＴ１３のＹＥＳ）、制御部２０１は、所定時間内（ステップＳＴ１４のＮＯ）もしくは「表示省電力状態解除後の動作設定」の解除トリガが発生していない（ステップＳＴ１６のＮＯ）うちは、メモリ２０２上の「表示省電力状態解除後の動作設定」に応じた動作を行い、所定時間経過後（ステップＳＴ１４のＹＥＳ）もしくは「表示省電力状態解除後の動作設定」の解除トリガ発生後（ステップＳＴ１６のＹＥＳ）は「表示省電力状態解除後の動作設定」を解除して（ステップＳＴ１７）、表示部２０７の表示状態が表示ＯＦＦから表示ＯＮになるように電源供給部２０５から表示部２０７への電源供給を制御することにより、通常動作へ戻る。
【００２７】
具体的には、例えば、図３（ａ）及び（ｂ）に示す設定時間の設定及び特殊なキーアサインの設定などの「表示省電力状態解除後の動作設定」が行われている場合について説明する。この場合、折畳み型装置で筐体を閉じている状態から開いた場合に、２秒間は「＃」キーが押下されたらカメラ機能を起動し、「＊」キーが押下されたら受信メール一覧の表示を行い、「９」キーが押下されたら電卓機能を起動する。２秒間に他のキーが操作されたり無操作であったりした場合は、上記の特殊なキーアサイン状態を解除する。
【００２８】
また、上記の特殊なキーアサインで機能の起動が行われた場合も特殊なキーアサイン状態は解除を行う。尚、「クリア」キーなど２秒間に押下された場合に「表示省電力状態解除後の動作設定」状態を即解除するためのキーアサインが定義されても良い。
【００２９】
ここで言う所定時間や特殊なキーアサインなどの「表示省電力状態解除後の動作設定」は、予め使用者（ユーザ）により設定可能であることが望ましい。使用者による設定は、例えば予め設定された設定用画面を表示部２０７上に表示させ、操作部２０８を用いたキー操作（タッチパネルを用いたキー操作も含む。）等のユーザ操作により、例えば図３（ａ）及び（ｂ）に示す所定時間及び特殊なキーアサインを使用者が設定（画面上に各項目を表示させて該当項目に入力したり、項目毎に複数の入力候補を表示させ、その中から選択したりする等の操作を含む）することで行なわれる。
【００３０】
また、特殊なキーアサインが有効な状態でも、特殊な機能起動等がアサインされていないキー（例えば、「Ｍｅｎｕ」キーのように、特殊なキーアサインが有効な状態でも、そのままのアサインで使えることが望ましいもの）が操作された場合は、通常のキーアサイン同様の動作を行い、特殊なキーアサイン状態は解除することが望ましい。この場合、特殊なキーアサインは定義されたキーのみであり、その他のキーのアサインは通常のままとする。
【００３１】
以上説明したように、本実施の形態では、携帯端末装置２００の表示省電力（表示ＯＦＦ）状態を速やかに解除するだけではなく、その直後に使用者が使用したい目的の機能の起動等を迅速に行うことが可能となる。
【００３２】
従って、本実施の形態によれば、消費電力節約のために表示省電力（表示ＯＦＦ）状態に入った状態から使用者がその携帯端末装置２００の目的の機能を使用（操作）しようとした際、少ない操作回数で迅速に起動させることができる。例えば、使用者が携帯端末装置２００を使用していない状態からカメラ機能などの目的の機能を咄嗟に使用しようとした場合に、少ない操作回数で迅速に起動させることが可能となる。
【００３３】
（第２の実施の形態）
本発明の第２の実施の形態に関して、図４及び図５を用いて説明する。
【００３４】
図４は、本実施の形態に係る携帯端末装置２００において、全ての遷移を図示した訳ではないが、携帯端末装置２００を垂直方向（上方向）へ移動させた場合や更に横方向（水平方向）へ回転させた場合を図示している。この場合、２軸ヒンジから成るヒンジ部２１２を有した折畳み型携帯装置において、表示部２０７の表示面を外側にして筐体（装置本体）２１１を閉じた状態からの移動を想定している。
【００３５】
本実施の形態は、携帯端末装置２００において、センサ部（図１参照）に上下左右方向の移動、その移動量、及び空間に置かれた傾き等を検出する加速度センサ（例えば、３軸加速度センサ）を内蔵しており、例えば、この加速度センサにより携帯端末装置２００の上方向へ一定量以上の移動を検出した場合は、表示省電力状態（表示ＯＦＦ）の解除トリガを発生させ、この解除トリガにより表示省電力状態を解除するものとする。また、表示省電力状態を解除した後、所定の時間内に加速度センサにより携帯端末装置２００の静止状態（移動が一定量以下の状態）を検出した場合は、その際の携帯端末装置２００の傾きに応じた機能を起動させ、「表示省電力状態解除後の動作設定」を解除する。
【００３６】
本実施の形態における「表示省電力状態解除後の動作設定」の一例を図５（ａ）〜（ｃ）に示す。この例では、携帯端末装置２００の操作により起動が可能な機能には、受信メールの一覧表示、発着信履歴の表示、カメラ機能、及びテレビ機能が含まれている。これらの機能は全て既知のものが適用されるため、その詳細は省略する。
【００３７】
図５（ａ）は、表示省電力状態を解除するための携帯端末装置２００の上方向への移動量の設定、図５（ｂ）は、所定時間の設定、図５（ｃ）は携帯端末装置２００の傾きに応じた機能起動の各動作の設定をそれぞれ示している。
【００３８】
この場合、具体的には、図４に示した通り、携帯端末装置２００の表示省電力状態（表示ＯＦＦ）において、加速度センサの出力（携帯端末装置２００の上下左右方向の移動及びその移動量に関する検出値）から、携帯端末装置２００の静止状態（図４中の静止状態（１）参照）から上方向へ一定量（図５（ｂ）の例では、１０ｃｍ）以上の移動を検出すると、制御部は、表示省電力状態の解除トリガを発生させ、この解除トリガにより表示省電力状態を解除する。
【００３９】
その解除後、所定時間（図５（ｂ）の例では、２秒間）内に、加速度センサの出力（携帯端末装置２００の傾きに関する検出値）から、ヒンジ部２１２が上の状態で静止状態（図４中の静止状態（２）参照）を検出した場合は、制御部は、メモリ２０２上の「表示省電力状態解除後の動作設定」（図５（ｃ）参照）に従い、表示部２０７の表示面上に受信メール一覧表示を行う。
【００４０】
同様に、ヒンジ部２１２が下の状態で静止状態（図４中の静止状態（３）参照）を検出した場合は、制御部は、メモリ２０２上の「表示省電力状態解除後の動作設定」（図５（ｃ）参照）に従い、表示部２０７の表示面上に発着信履歴の表示を行う。
【００４１】
また、ヒンジ部２１２が右横の状態で静止状態（図４中の静止状態（４）参照）を検出した場合は、制御部は、メモリ２０２上の「表示省電力状態解除後の動作設定」（図５（ｃ）参照）に従い、カメラ機能を起動させる。これにより、表示部２０７の表示画面上には、カメラプレビュー表示が行われる。
【００４２】
さらに、ヒンジ部２１２が左横の状態で静止状態を検出した場合（図４中の静止状態（３）参照）は、制御部は、メモリ２０２上の「表示省電力状態解除後の動作設定」（図５（ｃ）参照）に従い、テレビ機能を起動させる。これにより、表示部２０７の表示画面上には、ＴＶ映像表示が行われる。
【００４３】
尚、ここで言う表示省電力状態を解除するための移動量や、所定時間、及び携帯端末装置２００の傾きに応じた動作などの「表示省電力状態解除後の動作設定」は、予め使用者（ユーザ）により設定可能であることが望ましい。使用者による設定は、例えば予め設定された設定用画面を表示部２０７上に表示させ、操作部２０８を用いたキー操作（タッチパネルを用いたキー操作も含む。）等のユーザ操作により、例えば図５（ａ）〜（ｃ）に示す上方向への移動量、所定時間、及び装置の傾きに応じた動作を使用者が設定（画面上に各項目を表示させて該当項目に入力したり、項目毎に複数の入力候補を表示させ、その中から選択したりする等のユーザ操作を含む）することで行なわれる。
【００４４】
本実施の形態においても、第１の実施の形態と同様に、携帯端末装置２００において、消費電力節約のために表示省電力（表示ＯＦＦ）状態に入った状態から使用者がその携帯端末装置２００の目的の機能を使用（操作）しようとした際、少ない操作回数で迅速に起動させることができる。
【００４５】
また、本実施の形態では、操作部のキー操作を必要としないで、より簡単な操作で表示省電力状態の解除及びその解除後一定時間内に目的の機能を使用でき、より一層操作性を向上させることができる。
【００４６】
なお、上記各実施の形態では、携帯端末装置の操作により起動が可能な機能として、受信メールの一覧表示、発着信履歴の表示、カメラ機能、テレビ機能、電卓機能等を例示しているが、本発明はこれらの機能に限定されず、ユーザ操作により起動可能なものであれば、いずれでも適用可能である。
【００４７】
また、上記の携帯端末装置及びその表示省電力状態からの復帰制御方法は、ハードウェア、ソフトウェア又はこれらの組合せにより実現することができる。この場合のハードウェア、ソフトウェア構成は特に限定されるものではなく、上述した携帯端末装置内の各部の機能を実現可能なものであれば、いずれの形態でも適用可能である。例えば、各部の機能毎に個別に構成しても、各部の機能を一体的に構成しても、いずれでも適用可能である。
【００４８】
上記各実施の形態の一部又は全部は、以下の付記のようにも記載されうるが、以下には限定されない。
【００４９】
（付記１）表示部と、前記表示部の表示省電力状態への移行及びその解除を制御する制御部とを有し、前記制御部は、前記表示省電力状態の解除トリガ発生後に、一定時間内は携帯端末装置の操作により起動が可能な機能の設定を所定の設定に切り換え、当該所定の設定に応じて前記機能の起動を制御することを特徴とする携帯端末装置。
【００５０】
（付記２）前記機能の起動に対するキーアサインに従いキー操作が可能な操作部を更に有し、前記所定の設定は、前記機能の起動に対するキーアサインの設定であり、前記制御部は、前記表示省電力状態の解除トリガ発生後に、一定時間内は前記機能の起動に対する前記操作部のキーアサインを前記所定の設定に切り換えることを特徴とする付記１に記載の携帯端末装置。
【００５１】
（付記３）携帯端末装置の少なくとも所定方向への移動及びその傾きを検出するセンサを更に有し、前記所定の設定は、前記機能の起動に対する前記センサの出力の設定であり、前記制御部は、前記表示省電力状態の解除トリガ発生後に、一定時間内は前記所定の設定に従い前記センサの出力に応じて前記機能を起動することを特徴とする付記１に記載の携帯端末装置。
【００５２】
（付記４）前記一定時間は、使用者により設定可能であることを特徴とする付記２又は３に記載の携帯端末装置。
【００５３】
（付記５）前記機能の起動に対するキーアサインは、使用者により設定可能であることを特徴とする付記２に記載の携帯端末装置。
【００５４】
（付記６）前記センサの出力に応じて起動する機能は、使用者により設定可能であることを特徴とする付記３に記載の携帯端末装置。
【００５５】
（付記７）表示部と、前記表示部の表示省電力状態への移行及びその解除を制御する制御部とを有する携帯端末装置の表示省電力状態からの復帰制御方法であって、前記制御部が、前記表示省電力状態の解除トリガ発生後に、一定時間内は前記携帯端末装置の操作により起動が可能な機能の設定を所定の設定に切り換え、当該所定の設定に応じて前記機能の起動を制御することを特徴とする携帯端末装置の表示省電力状態からの復帰制御方法。
【００５６】
（付記８）前記携帯端末装置が、前記機能の起動に対するキーアサインに従いキー操作が可能な操作部を更に有し、前記所定の設定は、前記機能の起動に対するキーアサインの設定であり、前記制御部が、前記表示省電力状態の解除トリガ発生後に、一定時間内は前記機能の起動に対するキーアサインを前記所定の設定に切り換えることを特徴とする付記７に記載の携帯端末装置の表示省電力状態からの復帰制御方法。
【００５７】
（付記９）前記携帯端末装置が、当該携帯端末装置の少なくとも所定方向への移動及びその傾きを検出するセンサを更に有し、前記所定の設定は、前記機能の起動に対する前記センサの出力の設定であり、前記制御部が、前記表示省電力状態の解除トリガ発生後に、一定時間内は前記所定の設定に従い前記センサの出力に応じて前記機能を起動することを特徴とする付記７に記載の携帯端末装置の表示省電力状態からの復帰制御方法。
【００５８】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００５９】
以上説明したように、本発明は、携帯端末装置及びその表示省電力状態からの復帰制御方法の用途に利用可能である。
【符号の説明】
【００６０】
２００  携帯端末装置
２０１  制御部
２０２  メモリ
２０３  タイマ
２０４  センサ部
２０５  電源供給部
２０６  バッテリ（電源）
２０７  表示部
２０８  操作部
２１１  筐体
２１２  ヒンジ部
【図１】
0005464349.tif 000002
【図２】
0005464349.tif 000003
【図３】
0005464349.tif 000004
【図４】
0005464349.tif 000005
【図５】
0005464349.tif 000006